(57)【要約】【課題】  菌の増殖（繁殖）を抑制し且つ飼育水槽内の全域において溶存酸素量が飽和に近くなる閉鎖循環式養殖システムを提供する。【解決手段】  矩形状をなす飼育水槽の１つのコーナに対向するコーナに向かって微細気泡を含んだ水を送りだすポンプとノズルが配置され、前記対向するコーナを近傍には前記ノズルからの水流を前記対向するコーナを形成する各辺に沿った水流として送り出すとともに大気を水中に取り込むパドルミキサーが配置され、更に多孔質部材の表面にナノ銀粒子が担持された抗菌部材が水槽内に所定間隔で吊り下げ支持されるか、前記ノズルの上流側に配置した濾過部に収納されている。【選択図】  図１
2018046753.tif 000002
【特許請求の範囲】
【請求項１】
平面視で矩形状をなす飼育水槽内で水を循環させる閉鎖循環式養殖システムにおいて、前記飼育水槽の１つのコーナに対向するコーナに向かって微細気泡を含んだ水を送りだすポンプとノズルが配置され、前記対向するコーナの近傍には前記ノズルからの水流を前記対向するコーナを形成する各辺に沿った水流として送り出すとともに大気を水中に取り込むパドルミキサーが配置され、更に多孔質部材の表面にナノ銀粒子が担持された抗菌部材が水槽内に所定間隔で吊り下げ支持されていることを特徴とする閉鎖循環式養殖システム。
【請求項２】
平面視で矩形状をなす飼育水槽内で水を循環させる閉鎖循環式養殖システムにおいて、前記飼育水槽の１つのコーナに対向するコーナに向かって微細気泡を含んだ水を送りだすポンプとノズルが配置され、前記対向するコーナを近傍には前記ノズルからの水流を前記対向するコーナを形成する各辺に沿った水流として送り出すとともに大気を水中に取り込むパドルミキサーが配置され、更に前記ノズルの上流側に配置された濾過部内には多孔質部材の表面にナノ銀粒子が担持された抗菌部材が収納されていることを特徴とする閉鎖循環式養殖システム。
【発明の詳細な説明】
【技術分野】
【０００１】
本発明は、陸上において、水を循環させて再利用しながら、飼育水槽でエビなどを養殖する閉鎖循環式養殖システムに関する
【背景技術】
【０００２】
閉鎖循環式養殖システムは、気候・赤潮などの外的要因による影響が少なく生産性に優れ、水温の調整が可能なため養殖期間の短縮化を図ることができ、排水が殆どでないため環境への影響が少なく、区画漁業権等の漁業法の制約を受けないなどの利点があるため、近年発達している。
【０００３】
例えば特許文献１には、海水を循環させながら海水中のアンモニア等の窒素成分を除去する閉鎖循環式養殖システムとして、海水中の固形物を取り除く物理的ろ過部と、海水を電気分解して活性塩素種を発生させると共にこの活性塩素種で海水中の窒素成分を除去する電気分解・窒素除去部と、活性塩素種を中和する塩素中和部とを、海水の流れ方向に沿ってこの順に配置したものが提案されている。
【０００４】
特許文献２には、複数の所定長さの養殖用パイプを接続して循環路とする閉鎖循環式養殖システムとして、観察用窓を設け、養殖用パイプ内の状態を観察するものが提案されている。
【０００５】
特許文献３には、魚介類を養殖する陸上養殖施設として、物理浄化処理手段、生物浄化処理手段、化学浄化処理手段及び電気化学浄化処理手段を備えたものが提案されている。
特許文献４には、ナノバブルを含む水を生体表面に接触させることにより、生体の疲労回復を行うナノバブル利用生体疲労回復方法が提案されている。
【０００６】
特許文献５には、発泡・凝縮工程を複数回繰り返す微細化方法が提案され、この微細化方法において、セラミック表面に担持したナノ銀粒子に水を接触させることで、ナノ銀粒子が保持するゼータ電位により菌類や藻類を破壊・除去することが記載されている。
【先行技術文献】
【特許文献】
【０００７】
【特許文献１】特開２００３−２７４７９６号公報
【特許文献２】特開２００５−０２１１４２号公報
【特許文献３】特開２０１４−２０９８９９号公報
【特許文献４】特開２００７−０５４６５５号公報
【特許文献５】特開２０１４−１９８３３３号公報
【発明の概要】
【発明が解決しようとする課題】
【０００８】
閉鎖循環式養殖システムの問題点として、ウィルスや魚病等が飼育水槽内に持ち込まれると、飼育魚が全滅してしまうことが挙げられている。しかしながら上記した何れの先行文献に提案される内容では、このような飼育魚の全滅を有効に解決する提案がなされていない。
【課題を解決するための手段】
【０００９】
上記の課題を解決するため本願の第１発明に係る閉鎖循環式養殖システムは、平面視で矩形状をなす飼育水槽の１つのコーナに、対向するコーナに向かって微細気泡を含んだ水を送りだすポンプとノズルを配置し、前記対向するコーナの近傍には前記ノズルからの水流を前記対向するコーナを形成する各辺に沿った水流として送り出すとともに大気を水中に取り込むパドルミキサーを配置し、更に多孔質部材の表面にナノ銀粒子が担持された抗菌部材が水槽内に所定間隔で吊り下げ支持した。
【００１０】
また、本願の第２発明に係る閉鎖循環式養殖システムは、第１発明のノズルの上流側に濾過部を配置し、この濾過部内に表面にナノ銀粒子が担持された多孔質部材を収納するようにした。
【発明の効果】
【００１１】
本発明に係る閉鎖循環式養殖システムによれば、停滞する箇所がない水流を形成するので、水は確実に多孔質部材の表面に担持されたナノ銀粒子と接触し、菌類や藻類が破壊・除去され、養殖魚の全滅が生じる可能性が極めて少ない。
【００１２】
また、ノズルから噴出して水流を形成する水には、ｎｍサイズの気泡、μｍサイズの気泡、ｍｍサイズの気泡など各種サイズの気泡が含まれているので、殺菌・滅菌効果の他に、飼育水槽の全域に亘って溶存酸素量を高く（例えば飽和濃度以上）維持することが可能となる。
【図面の簡単な説明】
【００１３】
【図１】本発明に係る閉鎖循環式養殖システムの平面図
【図２】ろ過材の使用状態を説明した図
【図３】パドルミキサーの側面図
【図４】浄化水プール内に配置された浄化装置の断面図
【図５】水処理装置を説明した図
【発明を実施するための形態】
【００１４】
本発明に係る閉鎖循環式養殖システムは、平面視で矩形状をなす飼育水槽１を備え、この飼育水槽１の横に飼育水槽１に清浄な水を補給する貯水槽２を配置している。
【００１５】
飼育水槽１の１つのコーナ部には水吐出装置３が配置されている。この水吐出装置３は図２に示すように、ポンプ４の上流側にストレーナ５が配置され、ポンプ４の下流側に濾過部６が配置され、この濾過部６の内部には溶岩などを細かく砕いた多孔質部材７が充填され、この多孔質部材７の表面にはナノ銀粒子が担持されている。このため、濾過部６を通過することで水中の汚泥などが除去されるとともに菌類や藻類の増殖（繁殖）が抑制される。
【００１６】
また、濾過部６の下流側にはノズル８が配置され、このノズル８は空気取り入れパイプ９を介して空気を導入することで、粒径がｍｍ、μｍ及びｎｍ単位の各種粒径の気泡を形成し水中に混入する。混入の結果、溶存酸素量が大幅に向上する。
【００１７】
水吐出装置３からは飼育水槽１の対向するコーナ部に向けて空気（酸素）が飽和濃度以上に溶解した水が吐出される。この対向するコーナ部を形成する各辺１ａ、１ｂにパドルミキサー１０が設けられている。
【００１８】
パドルミキサー１０は図３に示すように飼育水槽１の辺１ａ、１ｂに直交する軸１１に複数の羽根１２を取付け、羽根１２の回転により水中に大気（酸素）を取り入れるとともに図１の矢印で示す各辺１ａ、１ｂに沿った水流を形成するようにしている。
【００１９】
各辺１ａ、１ｂに沿った水流はコーナ部において向きを変え、別の辺１ｃ、１ｄに沿って流れ、水吐出装置３が設置されたコーナ部で合流し、再び水吐出装置３によって対向するコーナ部に向けて吐出される。このようにして飼育水槽１内において循環流が形成される。
【００２０】
また、飼育水槽１内には一定間隔でろ過材１３を吊り下げ支持している。濾過材１３は図４に示すように板材１４の両面に溶岩などを細かく砕いた多孔質部材を収納したメッシュ袋１５を取付け、更にこれらを紐１６で連結したものとしている。多孔質部材の表面には前記した濾過部６内に充填した多孔質部材と同様にナノ銀粒子が担持されている。
【００２１】
濾過材１３の構造は上記に限るものではなく、飼育水槽１内を循環する水が満遍なく接触することで、殺菌及び浄化が効率良く行えるものであればよい。
【００２２】
飼育水槽１に清浄な水を補給する貯水槽２のコーナ部には水吐出装置１７が配置され。このコーナ部に対向するコーナ部には水処理装置１８が配置されている。      
【００２３】
水処理装置１８は図５に示すように、ポンプ１９から水が供給される上段に水質浄化材２０を配置し、中段に前記同様のナノ銀粒子を担持した多孔質材２１を配置し、下段に袋詰めした多孔質材２２を配置している。
【００２４】
水処理装置１８内では清浄な水が常時循環しており、飼育水槽１の水が不足した時に水処理装置１８から必要量だけ飼育水槽１に浄化された水が供給される。
【産業上の利用可能性】
【００２５】
本発明に係る閉鎖循環式養殖システムは、エビの養殖などに限らず、各種魚類や酸素を必要とする植物の養殖にも利用することができる。
【符号の説明】
【００２６】
１…飼育水槽、１ａ、１ｂ、1ｃ、１ｄ…飼育水槽の辺、２…貯水槽、３…水吐出装置、４…ポンプ、５…ストレーナ、６…濾過部、７…多孔質部材、８…ノズル、９…空気取入れパイプ、１０…パドルミキサー、１１…軸、１２…羽根、１３…濾過材、１４…板材、１５…メッシュ袋、１６…紐、１７…水吐出装置、１８…水処理装置、１９…ポンプ、２０…水質浄化材、２１…多孔質材、２２…袋詰めした多孔質材。
【図１】
2018046753.tif 000003
【図２】
2018046753.tif 000004
【図３】
2018046753.tif 000005
【図４】
2018046753.tif 000006
【図５】
2018046753.tif 000007